【手続補正書】
【提出日】平成24年6月20日(2012.6.20)
【手続補正１】
【補正対象書類名】特許請求の範囲
【補正対象項目名】全文
【補正方法】変更
【補正の内容】
【特許請求の範囲】
【請求項１】
第１端子と、固定電位ノードに接続された第２端子と、前記第１端子及び前記第２端子間の導通状態を制御する制御端子と、を有する被駆動素子が複数配列され、前記複数の被駆動素子が、隣接する前記被駆動素子からなる被駆動素子群をなしている被駆動素子アレイを駆動する駆動回路であって、
前記被駆動素子群に含まれる複数の前記被駆動素子の各々の前記第１端子を共通に駆動する第１駆動部と、
複数の前記被駆動素子群からそれぞれ重複なく選択された前記被駆動素子の前記制御端子と共通母線を介して電気的に接続され、接続された複数の前記駆動素子の前記制御端子を駆動する第２駆動部と、を備え、
前記第２駆動部は、
電源と前記共通母線との間に直列に接続された第１スイッチ素子及び降圧回路と、
前記共通母線と前記固定電位ノードとの間に接続された第２スイッチ素子と、
を有することを特徴とする駆動回路。
【請求項２】
前記第２駆動部は、更に、
前記第１スイッチ素子又は前記第２スイッチ素子に対するオン／オフ切り替えのタイミングを調整するタイミング調整回路を有することを特徴とする請求項１記載の駆動回路。
【請求項３】
前記タイミング調整回路は、前記第１スイッチ素子に対するオン／オフ切り替えのタイミングと、前記第２スイッチ素子に対するオン／オフ切り替えのタイミングとが略等しくなるよう調整することを特徴とする請求項２記載の駆動回路。
【請求項４】
前記第１スイッチ素子は、前記電源側に接続され、
前記降圧回路は、前記共通母線側に接続されていることを特徴とする請求項１〜３のいずれか１項に記載の駆動回路。
【請求項５】
前記第１スイッチ素子は、前記共通母線側に接続され、
前記降圧回路は、前記電源側に接続されていることを特徴とする請求項１〜３のいずれか１項に記載の駆動回路。
【請求項６】
前記第１スイッチ素子、前記第２スイッチ素子、及び前記降圧回路は、同一導電形のトランジスタにより構成されていることを特徴とする請求項１〜５のいずれか１項に記載の駆動回路。
【請求項７】
第１端子と、固定電位ノードに接続された第２端子と、前記第１端子及び前記第２端子間の導通状態を制御する制御端子と、を有する被駆動素子が複数配列され、前記複数の被駆動素子が、隣接する前記被駆動素子からなる被駆動素子群をなしている被駆動素子アレイを駆動する駆動回路であって、
前記被駆動素子群に含まれる複数の前記被駆動素子の各々の前記第１端子を共通に駆動する第１駆動部と、
複数の前記被駆動素子群からそれぞれ重複なく選択された前記被駆動素子の前記制御端子と共通母線を介して電気的に接続され、接続された複数の前記駆動素子の前記制御端子を駆動する第２駆動部と、を備え、
前記第２駆動部は、
電源と前記共通母線との間に接続された第１スイッチ素子と、
前記共通母線と前記固定電位ノードとの間に接続され、前記第１スイッチ素子とは異なる導電形の第２スイッチ素子と、
を有することを特徴とする駆動回路。
【請求項８】
前記第１スイッチ素子及び前記第２スイッチ素子は、電圧制御形のトランジスタにより構成されていることを特徴とする請求項７記載の駆動回路。
【請求項９】
前記第１スイッチ素子は、電流制御形のトランジスタにより構成され、
前記第２スイッチ素子は、電圧制御形のトランジスタにより構成されていることを特徴とする請求項７記載の駆動回路。
【請求項１０】
第１端子と、固定電位ノードに接続された第２端子と、前記第１端子及び前記第２端子間の導通状態を制御する制御端子と、を有する被駆動素子が複数配列され、前記複数の被駆動素子が、隣接する前記被駆動素子からなる被駆動素子群をなしている被駆動素子アレイを駆動する駆動回路であって、
前記被駆動素子群に含まれる複数の前記被駆動素子の各々の前記第１端子を共通に駆動する第１駆動部と、
複数の前記被駆動素子群からそれぞれ重複なく選択された前記被駆動素子の前記制御端子と共通母線を介して電気的に接続され、接続された複数の前記駆動素子の前記制御端子を駆動する第２駆動部と、を備え、
前記第２駆動部は、
電源と前記共通母線との間に直列に接続された第１スイッチ素子及び順方向のダイオードと、
前記共通母線と前記固定電位ノードとの間に接続され、前記第１スイッチ素子と同一導電形の第２スイッチ素子と、
を有することを特徴とする駆動回路。
【請求項１１】
前記第２駆動部は、更に、
前記第１スイッチ素子又は前記第２スイッチ素子に対するオン／オフ切り替えのタイミングを調整するタイミング調整回路を有することを特徴とする請求項１０記載の駆動回路。
【請求項１２】
前記タイミング調整回路は、前記第１スイッチ素子に対するオン／オフ切り替えのタイミングと、前記第２スイッチ素子に対するオン／オフ切り替えのタイミングと、が略等しくなるよう調整することを特徴とする請求項１１記載の駆動回路。
【請求項１３】
前記第１スイッチ素子は、前記共通母線側に接続され、
前記ダイオードは、前記電源側に接続されていることを特徴とする請求項１０〜１２のいずれか１項に記載の駆動回路。
【請求項１４】
前記第１スイッチ素子は、前記電源側に接続され、
前記ダイオードは、前記共通母線側に接続されていることを特徴とする請求項１０〜１２のいずれか１項に記載の駆動回路。
【請求項１５】
前記固定電位ノードは、グランドであることを特徴とする請求項１〜１４のいずれか１項に記載の駆動回路。
【請求項１６】
前記第１駆動部は、駆動電流により前記第１端子群を駆動し、
前記第２駆動部は、前記駆動電流の立ち上がり波形の一部又は全部を用いて前記共通母線を駆動することを特徴とする請求項１〜１５のいずれか１項に記載の駆動回路。
【請求項１７】
駆動回路と、
被駆動素子アレイと、
を備えた駆動装置において、
前記駆動回路は、
第１端子と、固定電位ノードに接続された第２端子と、前記第１端子及び前記第２端子間の導通状態を制御する制御端子と、を有する被駆動素子が複数配列され、前記複数の被駆動素子が、隣接する前記被駆動素子からなる被駆動素子群をなしている前記被駆動素子アレイを駆動する回路であって、
前記被駆動素子群に含まれる複数の前記被駆動素子の各々の前記第１端子を共通に駆動する第１駆動部と、
複数の前記被駆動素子群からそれぞれ重複なく選択された前記被駆動素子の前記制御端子と共通母線を介して電気的に接続され、接続された複数の前記駆動素子の前記制御端子を駆動する第２駆動部と、を備え、
前記第２駆動部は、
電源と前記共通母線との間に直列に接続された第１スイッチ素子及び降圧回路と、
前記共通母線と前記固定電位ノードとの間に接続された第２スイッチ素子と、
を有することを特徴とする駆動装置。
【請求項１８】
駆動回路と、
被駆動素子アレイと、
を備えた駆動装置において、
前記駆動回路は、
第１端子と、固定電位ノードに接続された第２端子と、前記第１端子及び前記第２端子間の導通状態を制御する制御端子と、を有する被駆動素子が複数配列され、前記複数の被駆動素子が、隣接する前記被駆動素子からなる被駆動素子群をなしている前記被駆動素子アレイを駆動する駆動回路であって、
前記被駆動素子群に含まれる複数の前記被駆動素子の各々の前記第１端子を共通に駆動する第１駆動部と、
複数の前記被駆動素子群からそれぞれ重複なく選択された前記被駆動素子の前記制御端子と共通母線を介して電気的に接続され、接続された複数の前記駆動素子の前記制御端子を駆動する第２駆動部と、を備え、
前記第２駆動部は、
電源と前記共通母線との間に接続された第１スイッチ素子と、
前記共通母線と前記固定電位ノードとの間に接続され、前記第１スイッチ素子とは異なる導電形の第２スイッチ素子と、
を有することを特徴とする駆動装置。
【請求項１９】
駆動回路と、被駆動素子アレイと、を有する駆動装置を備えた画像形成装置において、
前記駆動回路は、
第１端子と、固定電位ノードに接続された第２端子と、前記第１端子及び前記第２端子間の導通状態を制御する制御端子と、を有する被駆動素子が複数配列され、前記複数の被駆動素子が、隣接する前記被駆動素子からなる被駆動素子群をなしている前記被駆動素子アレイを駆動する回路であって、
前記被駆動素子群に含まれる複数の前記被駆動素子の各々の前記第１端子を共通に駆動する第１駆動部と、
複数の前記被駆動素子群からそれぞれ重複なく選択された前記被駆動素子の前記制御端子と共通母線を介して電気的に接続され、接続された複数の前記駆動素子の前記制御端子を駆動する第２駆動部と、を備え、
前記第２駆動部は、
電源と前記共通母線との間に直列に接続された第１スイッチ素子及び降圧回路と、
前記共通母線と前記固定電位ノードとの間に接続された第２スイッチ素子と、
を有することを特徴とする画像形成装置。
【請求項２０】
駆動回路と、被駆動素子アレイと、を有する駆動装置を備えた画像形成装置において、
前記駆動回路は、
第１端子と、固定電位ノードに接続された第２端子と、前記第１端子及び前記第２端子間の導通状態を制御する制御端子と、を有する被駆動素子が複数配列され、前記複数の被駆動素子が、隣接する前記被駆動素子からなる被駆動素子群をなしている前記被駆動素子アレイを駆動する回路であって、
前記被駆動素子群に含まれる複数の前記被駆動素子の各々の前記第１端子を共通に駆動する第１駆動部と、
複数の前記被駆動素子群からそれぞれ重複なく選択された前記被駆動素子の前記制御端子と共通母線を介して電気的に接続され、接続された複数の前記駆動素子の前記制御端子を駆動する第２駆動部と、を備え、
前記第２駆動部は、
電源と前記共通母線との間に接続された第１スイッチ素子と、
前記共通母線と前記固定電位ノードとの間に接続され、前記第１スイッチ素子とは異なる導電形の第２スイッチ素子と、
を有することを特徴とする画像形成装置。